(57)【要約】  【課題】  幅を小さく、且つ厚さを薄くすることが可能になる押釦スイッチを提供する。  【解決手段】  スイッチ駆動部３は、押釦部５が押されたときに、この押釦部５に連動して揺動支点Ｑを中心にして揺動し且つ互いに対向配置された一対のレバー部材３０Ｌ、３０Ｒを有し、且つ両レバー部材３０Ｌ、３０Ｒが、その互いに対向する端部で折曲可能に連ねて構成されるレバーリンクＦを備えており、レバーリンクＦが押釦部５の押込みにより揺動した際に、レバーリンクＦがリーフスイッチ７０を開閉作動するようにしてある。【選択図】  図２
2005353478.tif 000002
【特許請求の範囲】
【請求項１】
押釦部を押すことでスイッチ駆動部を介して内蔵スイッチを開閉作動させるようにベースに収容された押釦スイッチであって、
前記スイッチ駆動部は、前記押釦部が押されたときに前記押釦部に連動して揺動支点を中心にして揺動し且つ互いに対向配置された一対のレバー部材を有し、且つ前記両レバー部材が、その互いに対向する端部で折曲可能に連ねて構成されるレバーリンクを備えており、前記レバーリンクが前記押釦部の押込みにより揺動した際に、前記レバーリンクが前記内蔵スイッチを開閉作動するようにしたことを特徴とする押釦スイッチ。
【請求項２】
前記レバーリンクにスイッチ作動部を設け、前記スイッチ作動部により前記内蔵スイッチが開閉作動を行うように構成したことを特徴とする請求項１に記載の押釦スイッチ。
【請求項３】
前記両レバー部材が、互いに平行するレバー部のそれぞれの一端部を連結軸部で連結し、前記レバー部のそれぞれの他端部を接合部にし、前記レバー部のほぼ中間部に揺動支点を設けると共に、前記連結軸部に前記スイッチ作動部を設けて構成した同一構成であって、前記一方のレバー部材に対して前記他方のレバー部材を水平方向に１８０度回転させることで、前記一方のレバー部材と前記他方のレバー部材とを対向させ、前記一方のレバー部材と前記他方のレバー部材とを前記接合部で互いに接合することで折曲げ可能にして前記レバーリンクを構成するようにしたことを特徴とする請求項１又は請求項２に記載の押釦スイッチ。
【請求項４】
前記接合部は、前記一方のレバー部の端部にピン支承部を形成し、前記他方のレバー部の端部にヒンジピンを設けて構成してあり、前記ヒンジピンを前記ピン支承部に係脱可能に且つ回転可能に係合することで、前記一方のレバー部材と前記他方のレバー部材とを互いに接合するようにしたことを特徴とする請求項３に記載の押釦スイッチ。
【請求項５】
前記押釦部はレバー連結部を有しており、前記レバー連結部を前記連結軸部に回転可能に連結して前記レバーリンクを前記押釦部に連動させるようにしたことを特徴とする請求項３又は請求項４に記載の押釦スイッチ。
【請求項６】
前記両レバー部材の前記揺動支点を支軸部で構成し、前記ベースに、一対の一方のレバー支点掛け部と一対の他方のレバー支点掛け部と、これらの一方及び他方のレバー支点掛け部間に位置する一対のヒンジ支点ガイド部と、復帰ばね部材設置部とを設け、
前記一方のレバー部材の前記支軸部を前記一方のレバー支点掛け部に揺動可能に引っ掛けると共に、前記他方のレバー部材の前記支軸部を前記他方のレバー支点掛け部に揺動可能に引っ掛け、前記ヒンジピンを前記ヒンジ支点ガイド部で前記押釦部の押し込み方向に往復動可能に案内して、前記両レバー部材を前記ベースに設置し、前記復帰ばね部材設置部に前記押釦部の押込み作動により揺動した前記レバー部材を復帰させる復帰ばね部材を設けると共に、前記ベースに前記内蔵スイッチを設け、
前記レバーリンクが前記押釦部の押込みにより揺動した際に、前記レバー部材で前記復帰ばね部材を圧縮すると共に、前記スイッチ作動部で前記内蔵スイッチを開閉作動するようにしたことを特徴とする請求項４又は請求項５に記載の押釦スイッチ。
【請求項７】
前記レバー部の前記接合部とは反対側の端部にばね係止部を設け、前記ベースに反転部材保持部を設け、前記反転部材保持部に反転部材の中間部を保持させて、この反転部材の両端部を前記ばね係止部に係止し、
前記レバーリンクが前記押釦部の押込みにより揺動した際に、前記反転部材の反転でクリック感を発生させるようにしたことを特徴とする請求項６に記載の押釦スイッチ。
【請求項８】
前記反転部材は、その中間部に直線状の保持部を有していて、この保持部の両端側を屈曲し、これらの屈曲部の先側を前記保持部に対して平行するように屈曲し、両端部を係止部にした金属線材からなるワイヤーばねで構成してあり、
前記保持部が前記反転部材保持部に保持されていて、前記係止部が前記ばね係止部に係止されていることを特徴とする請求項７に記載の押釦スイッチ。
【請求項９】
前記押釦部は、キートップを備えた操作プランジャを有しており、この操作プランジャに前記レバー連結部を設けて、前記操作プランジャを前記レバーリンクに連結すると共に、前記操作プランジャに、前記押釦部に衝撃が加わった際に、前記衝撃を前記ベース側に逃がす耐衝撃手段を設けたことを特徴とする請求項１乃至請求項８のいずれかの一に記載の押釦スイッチ。
【請求項１０】
前記耐衝撃手段は、前記操作プランジャの前記ベースに対向する対向面に複数個のブロックを設けて構成してあり、前記押釦部に衝撃が加わった際に、前記ブロックを前記ベースの底面部に衝突させて、前記衝撃をベース側に逃がすようにしたことを特徴とする請求項９に記載の押釦スイッチ。
【請求項１１】
前記内蔵スイッチは、前記レバーリンクが前記押釦部の押込みにより揺動した際に、前記スイッチ作動部により作動する接点操作体と、この接点操作体の作動により可動片を撓ませて、この可動片が有する可動接点を固定片の固定接点に接触させるスイッチ部とよりなるリーフスイッチで構成してあることを特徴とする請求項１乃至請求項１０のいずれかの一に記載の押釦スイッチ。
【請求項１２】
前記スイッチ部が、前記可動片と前記固定片を互いに対向させて保持する絶縁保持体を有していて、この絶縁保持体に断面円形状のスイッチ側ジョイント部を形成すると共に、絶縁保持体に、前記スイッチ側ジョイント部の中心である接点操作体揺動中心に一致する支軸を設けて構成してあり、
前記接点操作体はキャップ形状であって、この接点操作体は、その開口部側に設けた断面円弧形状の接点操作体側ジョイント部と、その両側部に設けられ且つ前記接点操作体側ジョイント部の中心に一致する支承孔を有する一対の支持腕部とを有しており、
前記接点操作体を、その内部に前記可動片及び前記固定片を挿入して前記接点操作体側ジョイント部を前記スイッチ側ジョイント部に回転可能に嵌合すると共に、前記支承孔に前記支軸を回転可能に支承することで前記スイッチ部に前記接点操作体を装着して前記リーフスイッチを構成するようにしたことを特徴とする請求項１１に記載の押釦スイッチ。
【請求項１３】
前記接点操作体の内面側に接点押圧部が突設してあり、前記可動接点と前記固定接点とが離間した中立状態で前記接点押圧部が前記可動片を押圧して、前記可動片を前記固定片側に所定量押し込んで、前記可動片にプリロードを与えるようにしたことを特徴とする請求項１２に記載の押釦スイッチ。
【請求項１４】
前記スイッチ部は、絶縁材のモールドに、接点を有するスイッチ接点片をインサートしたインサート成形により形成された同一構成の一方及び他方のスイッチ構造体で構成してあって、前記モールドは、その外面が断面半円形状の接点操作体嵌合部を有すると共に、その内面が合わせ面部にしてあり、前記モールドの両側面部には断面半円形状の軸部がそれぞれ突設してあり、
前記一方及び他方のスイッチ構成体をそれぞれの前記合わせ面部で合わせ、前記接点操作体嵌合部で前記スイッチ側ジョイント部を形成し、前記軸部で前記支軸を形成し、前記スイッチ接点片の一方を前記可動片に、他方を固定片にそれぞれしたことを特徴とする請求項１３に記載の押釦スイッチ。
【発明の詳細な説明】
【技術分野】
【０００１】
本発明は、エレベータスイッチ等に用いられる押釦スイッチに関する。
【背景技術】
【０００２】
従来の押釦スイッチにおいて、図１６及び図１７に示すように、押釦部１１０の押込によりレバーリンク１１１を作動させることでプランジャレバー１１２を介して内蔵スイッチ１１３を作動させるものがある。
【０００３】
このレバーリンク１１１は、図１８及び図１９に示すように、一対のリンクレバー１００、１０１により構成してあり、両リンクレバー１００、１０１には、その中間部に互いに他方側に張出突出する突出部１０２、１０３が設けてあり、両リンクレバー１００、１０１のうちの一方のリンクレバー１００の突出部１０２を他方のリンクレバー１０１に重合当接させることによって、一方のリンクレバー１００の揺動支点Ｑを形成すると共に、他方のリンクレバー１０１の突出部１０３を一方のリンクレバー１００に重合当接させることによって他方のリンクレバー１０１の揺動支点Ｑを形成するようにしてあり、両リンクレバー１００、１０１の揺動支点Ｑが略一致するように突出部１０２、１０３を位置させて、押釦部１１０を平行移動させるようにしてある。
【０００４】
そして、押釦部１１０を指で押し込むことにより操作プランジャ１１４を押し込むと、一方のリンクレバー１００は、その揺動支点Ｑを中心に時計回り方向に回動し、他方のリンクレバー１０１は、その揺動支点Ｑを中心に反時計回り方向に回動して、一方のリンクレバー１００と他方のリンクレバー１０１との交叉部が下降する。
【０００５】
一方及び他方のリンクレバー１００、１０１の交叉部が下降すると、一方のリンクレバー１００のプランジャレバー押部１１５でプランジャレバー１１２の右の連結部位１１２Ａを押し込む。プランジャレバー１１２は、その一方の力の作用点ロに押圧力を受けるために、その揺動支点Ｐを中心に図２０において時計回り方向に回転して、プランジャレバー１１２の左の連結部材１１６の突起部１１７が、図１７に示すように、内蔵スイッチ１１３の可動片１１８を押し上げ、この可動片１１８が有する可動接点１１９が固定端子１２０の固定接点（図示せず）に接触して、スイッチオンの状態になる。
【０００６】
また、押釦部１１０の押圧を解除すると、復帰ばね部材１２１のばね力が他方のリンクレバー１０１の先端部（左部位）を押し上げる。このように他方のリンクレバー１０１の先端部が押し上げられると、一方のリンクレバー１００は、その揺動支点Ｑを中心に反時計回り方向に回動し、他方のリンクレバー１０１は、その揺動支点Ｑを中心に時計回り方向に回動して、一方のリンクレバー１００と他方のリンクレバー１０１との交叉部が上昇する。
【０００７】
一方及び他方のリンクレバー１００、１０１の交叉部が上昇すると、一方のリンクレバー１００のプランジャレバー押部１１５によるプランジャレバー１１２の右の連結部材１１２Ａの押し込みが解除される。このために、プランジャレバー１１２は元の状態にもどり、内蔵スイッチ１１３の可動片１１８の押し上げが解除されて、可動片１１８が反転ばね１２２のばね力で復帰し、可動接点１１９が固定接点から開離してスイッチオフの状態になる（特許文献１参照）。
【特許文献１】特開２００３−０４５２７号公報（特願２００１−２３４９９１号）
【発明の開示】
【発明が解決しようとする課題】
【０００８】
しかしながら、上記した従来の押釦スイッチにあっては、レバーリンク１１１が、一方のリンクレバー１００と他方のリンクレバー１０１とを交叉させて構成してあるＸ型のレバーリンクであるために、押釦スイッチの幅方向で、一方のリンクレバー１００と他方のリンクレバー１０１とが重なる二重構成になり、押釦スイッチの幅方向の寸法をより小さくすることの障害になっていたし、また、従来の押釦スイッチは、押釦部１１０の押込によりレバーリンク１１１を作動させることでプランジャレバー１１２を介して内蔵スイッチ１１３を作動させる構成であって、レバーリンク１１１とプランジャレバー１１２とが重なっているために、押釦スイッチの高さ方向の寸法をより小さく、すなわち、薄くすることの障害になっていた。
【０００９】
本発明は上記の事柄に着目して成されたものであって、その目的とするところは、押釦部の押し込み方向に対する平行動作を維持しつつ幅を小さく、且つ厚さを薄くすることが可能になる押釦スイッチを提供することにある。
【課題を解決するための手段】
【００１０】
上記の目的を達成するために、本発明に係る押釦スイッチは、押釦部を押すことでスイッチ駆動部を介して内蔵スイッチを開閉作動させるようにベースに収容された押釦スイッチであって、スイッチ駆動部は、押釦部が押されたときに押釦部に連動して揺動支点を中心にして揺動し且つ互いに対向配置された一対のレバー部材を有し、且つ両レバー部材が、その互いに対向する端部で折曲可能に連ねて構成されるレバーリンクを備えており、レバーリンクが押釦部の押込みにより揺動した際に、レバーリンクが内蔵スイッチを開閉作動するようにしたものである。
【００１１】
かかる構成により、押釦部を押すことにより、レバーリンクにより押釦部を、その押込方向に平行移動させ、レバーリンクが押釦部の押込みにより作動した際に、このレバーリンクを構成するレバー部材を揺動支点を中心にして揺動させて内蔵スイッチを作動することができる。
【００１２】
特に、レバーリンクが、揺動支点を中心にして揺動する一対のレバー部材を有し且つ両レバー部材が、その互いに対向する端部で折曲可能に連ねて構成されているために、従来一般に使用されている２本のリンクレバーをそれぞれの中間部で互いに揺動可能に連結したＸ型のレバーリンクを使用する必要がなく、一方及び他方のレバー部材が押釦スイッチの幅方向で二重になることがないので押釦スイッチの幅寸法を小さくすることができるし、また、レバーリンクに重なるプランジャレバーがないために、押釦スイッチの厚さを薄くすることが可能になる。
【００１３】
ここで、押釦部とは、例えば、操作プランジャに文字板とキートップとを重ねた状態で嵌め込み、文字板とキートップとを操作プランジャに固着した構成のものである。また、内蔵スイッチとは、例えば、リーフスイッチ、メカニカルスイッチ等が該当する。
【００１４】
また、本発明に係る押釦スイッチは、上記した本発明に係る押釦スイッチにおいて、レバーリンクにスイッチ作動部を設け、スイッチ作動部により内蔵スイッチが開閉作動を行うように構成したものである。
【００１５】
かかる構成により、押釦部を押すことにより、レバーリンクにより押釦部を、その押込方向に平行移動させ、レバーリンクが押釦部の押込みにより作動した際に、このレバーリンクを構成するレバー部材を揺動支点を中心にして揺動させてスイッチ作動部を介してスイッチ部を作動することができ、スイッチ作動部がレバーリンクに設けてあるために、レバーリンクとは別体のスイッチ作動部材、例えば、プランジャレバーを設ける必要がなく、押釦部の押し込み方向に対する平行動作を維持しつつ、押釦スイッチの厚さを薄くすることが可能になる。
【００１６】
また、本発明に係る押釦スイッチは、上記した本発明に係る押釦スイッチにおいて、両レバー部材が、互いに平行するレバー部のそれぞれの一端部を連結軸部で連結し、レバー部のそれぞれの他端部を接合部にし、レバー部のほぼ中間部に揺動支点を設けると共に、連結軸部にスイッチ作動部を設けて構成した同一構成であって、一方のレバー部材に対して他方のレバー部材を水平方向に１８０度回転させることで、一方のレバー部材と他方のレバー部材とを対向させ、一方のレバー部材と他方のレバー部材とを接合部で互いに接合することで折曲げ可能にしてレバーリンクを構成するようにしたものである。
【００１７】
かかる構成により、レバーリンクを簡素な構成で、しかも、丈の低い構成にすることができて、押釦スイッチの厚さを薄くすることに寄与することができるばかりか、両レバー部材を同一構成にしてあるために、押釦スイッチの物品点数を減少させてコストを下げることができる。
【００１８】
また、本発明に係る押釦スイッチは、上記した本発明に係る押釦スイッチにおいて、接合部は、一方のレバー部の端部にピン支承部を形成し、他方のレバー部の端部にヒンジピンを設けて構成してあり、ヒンジピンをピン支承部に係脱可能に且つ回転可能に係合することで、一方のレバー部材と他方のレバー部材とを互いに接合するようにしたものである。
【００１９】
かかる構成により、ヒンジピンをピン支承部に係脱可能に且つ回転可能に係合することで、一方のレバー部材と他方のレバー部材とを互いに接合することができて、レバーリンクの組立性を向上させることができる。
【００２０】
また、本発明に係る押釦スイッチは、上記した本発明に係る押釦スイッチにおいて、押釦部はレバー連結部を有しており、レバー連結部を連結軸部に回転可能に連結してレバーリンクを押釦部に連動させるようにしたものである。
【００２１】
かかる構成により、両レバー部材の連結軸部に押釦部のレバー連結部を回転可能に連結してレバーリンクを押釦部に連動可能にしているために、押釦部を偏った押し方で押しても、押釦部を押し方に関係なく平行に移動させることができて、内蔵スイッチを確実に作動させることができる。
【００２２】
また、本発明に係る押釦スイッチは、上記した本発明に係る押釦スイッチにおいて、両レバー部材の揺動支点を支軸部で構成し、ベースに、一対の一方のレバー支点掛け部と一対の他方のレバー支点掛け部と、これらの一方及び他方のレバー支点掛け部間に位置する一対のヒンジ支点ガイド部と、復帰ばね部材設置部とを設け、一方のレバー部材の支軸部を一方のレバー支点掛け部に揺動可能に引っ掛けると共に、他方のレバー部材の支軸部を他方のレバー支点掛け部に揺動可能に引っ掛け、ヒンジピンをヒンジ支点ガイド部で押釦部の押し込み方向に往復動可能に案内して、両レバー部材を前記ベースに設置し、復帰ばね部材設置部に押釦部の押込み作動により揺動したレバー部材を復帰させる復帰ばね部材を設けると共に、ベースに前記内蔵スイッチを設け、レバーリンクが押釦部の押込みにより揺動した際に、レバー部材で復帰ばね部材を圧縮すると共に、スイッチ作動部で内蔵スイッチを開閉作動するようにしたものである。
【００２３】
かかる構成により、押釦部を押すことにより、復帰ばね部材を圧縮させてレバーリンクにより押釦部を、その押込方向に平行移動させ、レバーリンクが押釦部の押込みにより作動した際に、このレバーリンクを構成するレバー部材を揺動支点を中心にして揺動させてスイッチ作動部を介して内蔵スイッチを作動することができる。
【００２４】
また、本発明に係る押釦スイッチは、上記した本発明に係る押釦スイッチにおいて、レバー部の接合部とは反対側の端部にばね係止部を設け、ベースに反転部材保持部を設け、反転部材保持部に反転部材の中間部を保持させて、この反転部材の両端部をばね係止部に係止し、レバーリンクが押釦部の押込みにより揺動した際に、反転部材の反転でクリック感を発生させるようにしたものである。
【００２５】
かかる構成により、レバーリンクが押釦部の押込みにより揺動した際に、反転部材の反転で可動接点が固定接点に接触する際のクリック感を発生させることができる。
【００２６】
また、本発明に係る押釦スイッチは、上記した本発明に係る押釦スイッチにおいて、反転部材は、その中間部に直線状の保持部を有していて、この保持部の両端側を屈曲し、これらの屈曲部の先側を保持部に対して平行するように屈曲し、両端部を係止部にした金属線材からなるワイヤーばねで構成してあり、保持部が反転部材保持部に保持されていて、係止部がばね係止部に係止されているものである。
【００２７】
かかる構成により、レバーリンクが押釦部の押込みにより揺動した際に、ワイヤーばねの反転で可動接点が固定接点に接触する際のクリック感を発生させることができる。
【００２８】
また、本発明に係る押釦スイッチは、上記した本発明に係る押釦スイッチにおいて、押釦部は、キートップを備えた操作プランジャを有しており、この操作プランジャにレバー連結部を設けて、操作プランジャをレバーリンクに連結すると共に、操作プランジャに、押釦部に衝撃が加わった際に、衝撃をベース側に逃がす耐衝撃手段を設けたものである。
【００２９】
エレベータスイッチとしての押釦スイッチは、１ｋｇの硬球を５０ｃｍまたは１ｍの上から１〜３回落下させたとしても壊れない強度が要求され、規格化されつつある。かかる点に鑑み本発明は、押釦スイッチの押釦部に１キロの鋼球を５０センチの上から落とした場合、押釦部に加わる衝撃を耐衝撃手段によりベース側に逃がして押釦スイッチの破損を防止することができるよう意図している。
【００３０】
また、本発明に係る押釦スイッチは、上記した本発明に係る押釦スイッチにおいて、耐衝撃手段は、操作プランジャのベースに対向する対向面に複数個のブロックを設けて構成してあり、押釦部に衝撃が加わった際に、ブロックをベースの底面部に衝突させて、衝撃をベース側に逃がすようにしたものである。
【００３１】
かかる構成により、エレベータスイッチとしての押釦スイッチは、１ｋｇの硬球を５０ｃｍまたは１ｍの上から１〜３回落下させたとしても壊れない強度が要求され、規格化されつつある。したがって、押釦部に衝撃が加わった際に、操作プランジャに設けた複数個のブロックをベースの底面部に衝突させて、衝撃をベース側に逃がして押釦スイッチの破損を防止することができるために、本発明の押釦スイッチは、上記の規格に適合するものになる。
【００３２】
また、本発明に係る押釦スイッチは、上記した本発明に係る押釦スイッチにおいて、内蔵スイッチは、レバーリンクが押釦部の押込みにより揺動した際に、スイッチ作動部により作動する接点操作体と、この接点操作体の作動により可動片を撓ませて、この可動片が有する可動接点を固定片の固定接点に接触させるスイッチ部とよりなるリーフスイッチで構成してあるものである。
【００３３】
かかる構成により、レバーリンクが押釦部の押込みにより揺動した際に、スイッチ作動部により接点操作体を、その接点操作体回動中心を支点にして回動させることで、接点操作体で可動片を押圧して、可動接点を固定接点に接触させてリーフスイッチスイッチを作動させることができる。
【００３４】
また、本発明に係る押釦スイッチは、上記した本発明に係る押釦スイッチにおいて、スイッチ部が、可動片と固定片を互いに対向させて保持する絶縁保持体を有していて、この絶縁保持体に断面円形状のスイッチ側ジョイント部を形成すると共に、絶縁保持体に、スイッチ側ジョイント部の中心である接点操作体揺動中心に一致する支軸を設けて構成してあり、接点操作体はキャップ形状であって、この接点操作体は、その開口部側に設けた断面円弧形状の接点操作体側ジョイント部と、その両側部に設けられ且つ側ジョイント部の中心に一致する支承孔を有する一対の支持腕部とを有しており、接点操作体を、その内部に可動片及び固定片を挿入して接点操作体側ジョイント部をスイッチ側ジョイント部に回転可能に嵌合すると共に、支承孔に支軸を回転可能に支承することでスイッチ部に接点操作体を装着してリーフスイッチを構成するようにしたものである。
【００３５】
かかる構成により、レバーリンクが押釦部の押込みにより揺動した際に、スイッチ作動部により接点操作体を、その接点操作体側ジョイント部を接点操作体揺動中心及び支軸を支点にして回動させることで、接点操作体で可動片を押圧して、可動接点を固定接点に接触させてリーフスイッチスイッチを作動させることができる。
【００３６】
また、本発明に係る押釦スイッチは、上記した本発明に係る押釦スイッチにおいて、接点操作体の内面側に接点押圧部が突設してあり、可動接点と固定接点とが離間した中立状態で接点押圧部が可動片を押圧して、可動片を固定片側に所定量押し込んで、可動片にプリロードを与えるようにしたものである。
【００３７】
かかる構成により、レバーリンクが押釦部の押込みにより揺動した際に、スイッチ作動部により接点操作体を、その接点操作体回動中心を支点にして回動させることで、接点操作体の内面部に設けた接点押圧部で可動片を押圧して、可動接点を固定接点に接触させてスイッチオンの状態にし、押し込み解除により、接点操作体が、可動片のスプリングバックにより接点操作体回動中心を支点にして逆方向に回動し、可動接点が固定接点から離れてスイッチオフの状態になる。このように、可動片の付勢力が、それ自体及び接点操作体の復帰用に用いられるために、リターンスプリングが不要になって、部品点数を少なくなる。
【００３８】
また、本発明に係る押釦スイッチは、上記した本発明に係る押釦スイッチにおいて、スイッチ部は、絶縁材のモールドに、接点を有するスイッチ接点片をインサートしたインサート成形により形成された同一構成の一方及び他方のスイッチ構造体で構成してあって、モールドは、その外面が断面半円形状の接点操作体嵌合部を有すると共に、その内面が合わせ面部にしてあり、モールドの両側面部には断面半円形状の軸部がそれぞれ突設してあり、一方及び他方のスイッチ構成体をそれぞれの合わせ面部で合わせ、接点操作体嵌合部でスイッチ側ジョイント部を形成し、軸部で支軸を形成し、スイッチ接点片の一方を可動片に、他方を固定片にそれぞれしたものである。
【００３９】
かかる構成により、スイッチ部は同一構成の一方及び他方のスイッチ構造体で構成してあって、一方及び他方のスイッチ構成体をそれぞれの合わせ面部で合わせ、接点操作体嵌合部でスイッチ側ジョイント部を形成し、軸部で支軸を形成し、スイッチ接点片の一方を可動片に、他方を固定片にそれぞれしたために、リーフスイッチの物品点数を減少させてコストを下げることができる。
【発明の効果】
【００４０】
本発明に係る押釦スイッチによれば、押釦部を押すことにより、レバーリンクにより押釦部を、その押込方向に平行移動させ、レバーリンクが押釦部の押込みにより作動した際に、このレバーリンクを構成するレバー部材を揺動支点を中心にして揺動させてスイッチ部を作動することができる。特に、レバーリンクが、揺動支点を中心にして揺動する一対のレバー部材を有し且つ両レバー部材が、その互いに対向する端部で折曲可能に連ねて構成されているために、従来一般に使用されている２本のリンクレバーをそれぞれの中間部で互いに揺動可能に連結したＸ型のレバーリンクを使用する必要がなく、押釦部の押し込み方向に対する平行動作を維持しつつ、押釦スイッチの幅寸法を小さく、且つ押釦スイッチの厚さを薄くすることが可能になる。
【００４１】
また、レバーリンクが押釦部の押込みにより揺動した際に、反転部材（ワイヤーばね）の反転で可動接点が固定接点に接触する際のクリック感を発生させることができる。
【発明を実施するための最良の形態】
【００４２】
以下、本発明に係る押釦スイッチの実施の形態を、図面を参照して説明する。
【００４３】
図１は本発明に係る押釦スイッチの斜視図、図２は同押釦スイッチの分解状態の斜視図、図３は同押釦スイッチにおける押釦部の分解状態の斜視図、図４は図１のＡーＡ線に沿う断面図、図５は図１の本発明に係る押釦スイッチの一部省略した平面図である。尚、説明の便宜上、前後方向、左右方向及び上下方向を図示のように設定する。
【００４４】
本発明に係る押釦スイッチの実施の形態は、図１及び図２に示すように、ベース１と、このベース１に収容する内蔵スイッチ組立体２と、ベース１に設けられて内蔵スイッチ組立体２を作動するスイッチ駆動部３と、照光部４と、押釦部５とを備えている。
【００４５】
図２に示すように、ベース１はベース本体１Ｆを有しており、このベース本体１Ｆは、底面部（下面部）１Ａと、前、後面部１Ｂ、１Ｃと、左、右面部１Ｄ、１Ｅとを有するボックス形状をしていて上面が開放している。また、右面部１Ｅにはコネクタ装着用開口部１ａが設けてある。
【００４６】
そして、ベース本体１Ｆの底面部１Ａには、図２に示すように、反転部材保持部６と、スイッチ設置部７と、プリント基板組立体設置部８と、復帰ばね部材設置部９とが左右方向に並べて設けてあり、また、底面部１Ａには、その左右方向の中央部であって、プリント基板組立体設置部８を挟んだ前後にレバー部材設置部１０と押釦ガイド部１１とが設けてある。
【００４７】
この押釦ガイド部１１は、前、後面部１Ｂ、１Ｃ及び左、右面部１Ｄ、１Ｅのそれぞれの内面部に設けた上下方向に沿うリブ形状のガイド部１２を備えている。また、前、後面部１Ｂ、１Ｃのそれぞれの内面部の縁部には、左右に位置させてストッパー１３が設けてある。
【００４８】
反転部材保持部６は、底面部１Ａと左面部１Ｄとの内面に跨って形成された一対の受け部１４と、左面部１Ｄの内面に形成された押え部１５とで構成してある。
【００４９】
スイッチ設置部７は、底面部１Ａに形成されたスイッチ嵌合凹部１６と、スイッチ嵌合凹部１６を挟んだ前後に配置された一対の鈎形状の押え部１７と、スイッチ嵌合凹部１６に設けたストッパー１８とで構成してある。
【００５０】
プリント基板組立体設置部８は、仮想四角形の各隅角部に位置するようにして底面部１Ａに突設された位置規制部１９Ａ、１９Ｂ、１９Ｃ、１９Ｄを有しており、隣り合う位置規制部１９Ａ、１９Ｂ、１９Ｃ、１９Ｄ間に位置させて突条からなる受け部２０が形成してある。また、位置規制部１９Ａ、１９Ｂ、１９Ｃ、１９Ｄには係止ピン部２１が突設してあって、これらで反射ケース設置部を構成している。
【００５１】
また、レバー部材設置部１０は、左側（一方）の前後一対のレバー支点掛け部２２Ａと、右側（他方）の前後一対のレバー支点掛け部２２Ｂと、前後一対のヒンジ支点ガイド部２３とを有している。左側の前後一対のレバー支点掛け部２２Ａは、底面部１Ａに突設された側面倒立Ｌ形状の突起部２４で構成してあり、また、右側の前後一対のレバー支点掛け部２２Ｂは、左の前後一対のレバー支点掛け部２２Ａと同構成であるが逆向きにしてある。また、前、後側のヒンジ支点ガイド部２３の外面部にはガイド溝部２５を形成して構成してある。
【００５２】
スイッチ駆動部３は、図２に示すように、左右（一方及び他方）のレバー部材３０Ｌ、３０Ｒと、反転部材であるワイヤーばね３１と、コイル状ばねよりなる復帰ばね部材３２とを備えている。ワイヤーばね３１は金属線材であり、その中間部に直線状の保持部３１Ａを有していて、この保持部３１Ａの両端側を屈曲し、これらの屈曲部３１Ｂの先側を保持部３１Ａに対して平行するように屈曲し、両端部を係止部３１Ｃにしたものである。
【００５３】
左（一方）のレバー部材３０Ｌは、図２に示すように、前後のレバー部３４Ａ、３４Ｂを有していて、これらのレバー部３４Ａ、３４Ｂは、それぞれの外端部（左端部）で連結軸部３５により互いに連結してある。
【００５４】
前側のレバー部３４Ａの内端部（右端部）には接合部３６が形成してある。この接合部３６は、レバー部３４Ａの内縁部に切込み溝３７を入れて一対の片状部３８を形成して二股にして、各片状部３８にピン支承部３９を形成して構成してある。また、後のレバー部３４Ｂの内端部（右端部）には接合部４１が形成してあり、この接合部４１は、片状部４１Ａにヒンジピン４０を設けて構成してある。また、前後のレバー部３４Ａ、３４Ｂの外端部にはばね係止部４２が設けてある。また、レバー部３４Ａ、３４Ｂのほぼ中間部には、揺動支点Ｑとなるピン状の支軸部４３がそれぞれ内方に向けて設けてある。
【００５５】
また、連結軸部３５の上部には荷重作用点となる当接部４４が形成してあり、連結軸部３５の下部には平坦な切欠きからなるスイッチ作動部４５とばね受け部４６とが形成してあり、また、連結軸部３５には当接部４４を挟んだ前後にプランジャ連結部４７が形成してある。
【００５６】
また、他方のレバー部材３０Ｒは左のレバー部材３０Ｌと同構成である。そして、右のレバー部材３０Ｒは、左のレバー部材３０Ｌに対して水平方向に１８０度回転させることで、左のレバー部材３０Ｌに対向させられるものであり、左のレバー部材３０Ｌと同じ符号を付して説明を省略する。
【００５７】
照光部４は、図２に示すように、反射部材である反射ケース５０と、板状の導光部材の端部に複数のＬＥＤを配置した光源部となるＬＥＤモジュール（いずれも図示せず）とで構成してあり、反射ケース５０の下部の四隅には係止ブロック５０Ａが突設してあり、これらの係止ブロック５０Ａの端面部には係止孔（図示せず）が形成してある。また、ＬＥＤモジュールはプリント基板組立体９９のプリント基板９７に実装されるものである。
【００５８】
押釦部５は、図２及び図３に示すように透明樹脂で製作されたキートップ５１と、文字板（文字フイルム）５２と、操作プランジャ５３とで構成してある。
【００５９】
操作プランジャ５３は、図３に示すように四角枠状のプランジャ本体５３Ａを備えており、このプランジャ本体５３Ａの前、後部の左、右端部にはそれぞれに一対のレバー連結部５５が設けてある。これらのレバー連結部５５は、プランジャ本体５３Ａの下面に相対峙させて突設された一対の挟持用突出部５６で構成してあり、挟持用突出部５６の端部の内側には爪部５６ａが形成してある。また、プランジャ本体５３Ａの前、後縁部には左右に離間させて係止凹部５３ａが設けてある。また、プランジャ本体５３Ａの左、右側部の下部にはレバー押圧部６４が形成してある。
【００６０】
また、プランジャ本体５３Ａの中央部に形成された四角形状の開口部５７の上縁部にはキートップ嵌合部５８が突設してあり、また、開口部５７の下縁部には耐衝撃手段が形成してある。この耐衝撃手段は、開口部５７の下縁部の左側部に突設された前後一対のブロック６０Ａ、６０Ｂと、開口部５７の下縁部の右側部に突設された前後一対のブロック６１Ａ、６１Ｂと、開口部５７の下縁部の前、後側部に突設されたブロック６２Ａ、６２Ｂとを有しており、ブロック６２Ａ、６２Ｂの外面には上下方向に沿う摺動溝部６３が形成してある。
【００６１】
そして、操作プランジャ５３のキートップ嵌合部５８で文字板６２を受けて、このキートップ嵌合部５８にキートップ５１を嵌合することで、操作プランジャ５３に文字板６２とキートップ５１とが取付けてあって、ユニット化してある。
【００６２】
内蔵スイッチ組立体２は、図２に示すように、内蔵スイッチであるリーフスイッチ７０とプリント基板組立体９９とで構成してある。
【００６３】
リーフスイッチ７０は、図１１乃至図１５に示すように、スイッチ部７１と接点操作体７２とで構成してある。スイッチ部７１は、一方のスイッチ構成体７３と他方のスイッチ構成体７４とを組み合わせて構成してある。
【００６４】
一方のスイッチ構成体７３は絶縁保持体であるモールド７５に一対のスイッチ接点片７６をインサートしたインサート成形により形成してある。モールド７５は、その外面が、断面半円形状の接点操作体嵌合部７７と取付け面部７８にしてあり、内面が合わせ面部７３Ａにしてある。そして、取付け面部７８には、両側方に突出する取付部７９が形成してある。
【００６５】
また、合わせ面部７３Ａには、図１４に示すように、係止孔８０と係止突起部８１とが左右に離間して設けてある。また、モールド７５の両側面部には断面半円形状の軸部８２がそれぞれ突設してあり、軸部８２の平坦面部８２ａは合わせ面部７３Ａと同一平面内に位置している。
【００６６】
一対のスイッチ接点片７６は、金属製の板ばね材を打ち抜き加工により成形したものであり、その先端部が接点形成部８３にしてあり、この接点形成部８３には突起状の接点８４が設けてある。また、基端部はクランク形状に屈曲されてリード部８５にしてある。
【００６７】
他方のスイッチ構成体７４は、一方のスイッチ構成体７３と同構成である。このために、同じ符号を付して説明を省略する。
【００６８】
そして、図１３に示すように、一方のスイッチ構成体７３の係止突起部８１を、他方のスイッチ構成体７３の係止孔８０に挿入係止し、他方のスイッチ構成体７３の係止突起部８１を、一方のスイッチ構成体７３の係止孔８０に挿入係止して一方及び他方のスイッチ構成体７３、７４をそれぞれの合わせ面部７３Ａで合わせることでスイッチ部７１が構成してある。
【００６９】
この場合、断面半円形状の軸部８２はそれぞれの平坦面部８２ａで合わせてあって、断面円形状の支軸８６を形成している。また、一方及び他方のスイッチ構成体７３、７４のそれぞれの断面半円形状の接点操作体嵌合部７７は断面円形状のスイッチ側ジョイント部８７を形成している。
【００７０】
また、スイッチ接点片７６のリード部８５は、同一平面内に位置しているし、図１５に示すように、一方のスイッチ構成体７３のスイッチ接点片７６が可動片になっていて、これの接点８４が可動接点Ｓにしてあり、また、他方のスイッチ構成体７４のスイッチ接点片７６が固定片になっていて、これの接点８４が可動接点Ｔにしてある。
【００７１】
また、接点操作体７２は、図１３に示すように、平面視台形状（先細り形状）のキャップ形状の接点操作体本体７２Ａを有しており、この接点操作体本体７２Ａの開口部９１側は接点操作体側ジョイント部８８にしてある。この接点操作体側ジョイント部８８は接点操作体本体７２Ａの上面部７２ａを右方に突出させて、この突出部８９を断面円弧形状に形成し、また、接点操作体本体７２Ａの下面部７２ｂを右方に突出させて、この突出部９０を断面円弧形状に形成して、両突出部８９、９０を向い合わせにして構成してある。
【００７２】
また、接点操作体本体７２Ａの両側面部には支持腕部９２が設けてあり、これらの支持腕部９２は、接点操作体本体７２Ａの両側面部に沿うようにしてあり、これらの支持腕部９２の先端部は接点操作体側ジョイント部８８の両側方に至っていて、それぞれの先端部には支承孔９３が形成してあり、接点操作体側ジョイント部８８の回転中心を通る軸線上に支承孔９３の中心が位置している。また、支持腕部９２の上縁部にはストッパー部９６が突設してある。
【００７３】
また、接点操作体本体７２Ａの上面部７２ａの左端部には、その前後に一対の接触部９４が突設してある。また、接点操作体本体７２Ａの上面部７２ａの内面側には、その前後に一対の接点押圧部９５が突設してある。
【００７４】
そして、接点操作体７２を、その開口部９１に一方及び他方のスイッチ構成体７３、７４のそれぞれのスイッチ接点片７６を挿入するようにしてスイッチ部７１に被せて、接点操作体側ジョイント部８８をスイッチ側ジョイント部８７に回転可能に嵌合し、また、支持腕部９２の先端部は支承孔９３に支軸８６を回転可能に支承することでスイッチ部７１に接点操作体７２が装着してある。この場合、図１５に示すように、スイッチ側ジョイント部８７が回転可能に嵌合する接点操作体側ジョイント部８８の中心が接点操作体回動中心Ｒになる。
【００７５】
また、図１１に示すように、支持腕部９２のストッパー部９６がスイッチ部７１の上側の取付部７９の下面に当接した状態が、スイッチ部７１の可動接点Ｓと固定接点Ｔとは互いに離間した中立状態であるが、この場合、図１５に示すように、接点操作体７２の一対の接点押圧部９５が可動片（一方のスイッチ構成体７３のスイッチ接点片７６）の先端部に当接して、これらの可動片を固定片（他方のスイッチ構成体７４のスイッチ接点片７６）側に所定範囲押し込みプリロードが与えてある。また、固定片の先端部は接点操作体７２の接点押圧部９５とは反対側の接点操作体７２の内面部に当接している。
【００７６】
プリント基板組立体９９は、図２に示すように、プリント基板９７と、このプリント基板９７の外端部に取付けられたコネクタ９８とを備えており、プリント基板９７の内端部には、その導電パターン（図示せず）に、各スイッチ接点片７６のリード部８４をはんだ付けしてリーフスイッチ７０が取付けてあり、これらで内蔵スイッチ組立体２が構成してある。
【００７７】
次に、押釦スイッチの組立を説明する。
【００７８】
ベース１の底面部１Ａのスイッチ設置部７にはリーフスイッチ７０が設置してあり、また、プリント基板組立体設置部８にはプリント基板組立体９９が設置してある。
【００７９】
すなわち、図６に示すように、スイッチ設置部７のスイッチ嵌合凹部１６にはリーフスイッチ７０が配置してあり、このリーフスイッチ７０の取付部７９が鈎形状の押え部１７で押えてあり、リーフスイッチ７０のスイッチ部７１の右端部がストッパー１８に衝合している。また、プリント基板組立体設置部８の位置規制部１９Ａ、１９Ｂ、１９Ｃ、１９Ｄでプリント基板組立体９９のプリント基板９７が位置規制されており、このプリント基板９７の左部の前後の角部が位置規制部１９Ａ、１９Ｂに設けられた係合溝（図示せず）に係合している。この状態で、プリント基板９７は受け部２０に受けられていて、コネクタ９８はベース１のコネクタ装着用開口部１ａに位置している。
【００８０】
また、ベース１の底面部１Ａの復帰ばね部材設置部９には復帰ばね部材３２が設置してあり、反転部材保持部６は、その一対の受け部１４と押え部１５とでワイヤーばね３１の保持部３１Ａを保持している。
【００８１】
また、レバー部材設置部８には左右のレバー部材３０Ｌ、３０Ｒが配置してある。すなわち、図６に示すように、左のレバー部材３０Ｌは、その前後の支軸部４３をベース１の底面部１Ａに設けた左の前後一対のレバー支点掛け部２２Ａに回転可能に支承してあり、左のレバー部材３０Ｌの揺動支点Ｑを構成している。また、右のレバー部材３０Ｒは、その前後の支軸部４３をベース１の底面部１Ａに設けた右の前後一対のレバー支点掛け部２２Ｂに回転可能に支承してあり、右のレバー部材３０Ｒの揺動支点Ｑを構成している。
【００８２】
そして、左のレバー部材３０Ｌの前側のレバー部３４Ａの内端部（右端部）の係合部３６に、右のレバー部材３０Ｒの前側のレバー部３４Ａの内端部（右端部）の係合部４１のヒンジピン４０が係合しており、左のレバー部材３０Ｌの後側のレバー部３４Ａの内端部（右端部）のヒンジピン４０が、右のレバー部材３０Ｒの後側のレバー部３４Ａの内端部（右端部）の係合部４１のピン係合部３６に係合している。ヒンジピン４０のピン係合部３６への係合は、片状部４１Ａを一対の片状部３８間に挿入すると共に、ヒンジピン４０を、各片状部３８のピン支承部３９に挿入することで行われている。そして、ヒンジピン４０はベース１に設けられたヒンジ支点ガイド部２３のガイド溝部２５に摺動可能に挿入してある。これらの左右のレバー部材３０Ｌ、３０ＲはレバーリンクＦを構成している。
【００８３】
そして、右のレバー部材３０Ｒの連結軸部３５に設けたばね受け部４６は復帰ばね部材３２の端部を受けており、また、左のレバー部材３０Ｌの連結軸部３５に設けたスイッチ作動部４５がリーフスイッチ７０の接点操作体７２に設けた一対の接触部９４に当接している。また、左のレバー部材３０Ｌの前、後側のレバー部３４Ａ、３４Ｂの外端部のばね係止部４２にはワイヤーばね３１の両端の係止部３１Ｃが係止している。
【００８４】
また、反射ケース設置部には、位置規制部１９Ａ、１９Ｂ、１９Ｃ、１９Ｄに設けた係止ピン部２１ａに係止ブロック５３の係止孔を係止することで反射ケース５０が設置してあり、この反射ケース５０の底側の内部にＬＥＤモジュールが位置している。
【００８５】
そして、文字板５２とキートップ５１とを取付けてユニット化された操作プランジャ５３は、照光部４の上からベース１内に挿入されていて、この操作プランジャ５３の周面部は、ベース１のリブ形状のガイド部１２に摺接しており、操作プランジャ５３の係止凹部５３ａに、ベースのストッパー１３が係脱可能に係止することで操作プランジャ５３の抜け出しが防止してある。
【００８６】
そして、図５に示すように、操作プランジャ５３の左側の一対のレバー連結部５５がそれぞれの一対の挟持用突出部５６で左のレバー部材３０Ｌの連結軸部３５のプランジャ連結部４７を回転可能に挟持しており、また、右側の一対のレバー連結部５５がそれぞれの一対の挟持用突出部５６で右のレバー部材３０Ｒの連結軸部３５のプランジャ連結部４７を回転可能に挟持している。
【００８７】
また、操作プランジャ５３の左、右側に設けられたれレバー押圧部６４が、左右のレバー部材３０Ｌ、３０Ｒの連結軸部３５に設けられた当接部４４に当接している。
【００８８】
また、操作プランジャ５３の耐衝撃手段のブロック６２Ａ、６２Ｂの摺動溝部６３には、ベース１に設けられたヒンジ支点ガイド部２３が摺動可能に挿入してあり、また、耐衝撃手段のブロック６０Ａ、６０Ｂはレバー支点掛け部２２Ａの左方に位置しており、ブロック６１Ａ、６１Ｂはレバー支点掛け部２２Ｂの右方に位置している。そして、復帰ばね部材３２のばね力による操作プランジャ５３の浮き上がりによりブロック６０Ａ、６０Ｂ、６１Ａ、６１Ｂ、６２Ａ、６２Ｂの端面部はベース１の底面部１Ａから所定距離上昇している。
【００８９】
次に、上記のように構成された押釦スイッチの作動を説明する。
【００９０】
コネクタ９８を電源側に接続することにより、プリント基板９７に搭載されたリーフスイッチ７０に電源が供給される。
【００９１】
図８の矢印で示すように、押釦部５のキートップ５１を指で押し込むことにより操作プランジャ５３が押し込まれると、レバー押圧部６４で左右のレバー部材３０Ｌ、３０Ｒの当接部４４が押圧されるために、左のレバー部材３０Ｌは、その揺動支点Ｑである支軸部４３を中心に反時計回り方向に回動し、また、右のレバー部材３０Ｒは、その揺動支点Ｑである支軸部４３を中心に時計回り方向に回動して、左右のレバー部材３０Ｌ、３０Ｒの折曲部に位置するヒンジピン４０は、ベース１に設けられたヒンジ支点ガイド部２３のガイド溝部２５内を上昇する。
【００９２】
この場合、復帰ばね部材３２は右のレバー部材３０Ｒの連結軸部３５のばね受け部４６で押されて圧縮されると共に、左のレバー部材３０Ｌの反時計回り方向の回動によりワイヤーばね３１が押される。
【００９３】
左のレバー部材３０Ｌの反時計回り方向への回動により、左のレバー部材３０Ｌの連結軸部３５に設けたスイッチ作動部４５がリーフスイッチ７０の接点操作体７２の一対の接触部９４を押圧してリーフスイッチ７０を作動させる。
【００９４】
すなわち、図１５に示すように、リーフスイッチ７０において、接点操作体７２を、その接点操作体回動中心Ｒを支点にして反時計回り方向に回動させることで、接点操作体７２の内面部に設けた一対の接点押圧部９５で可動片となる一方のスイッチ構成体７３のスイッチ接点片７６の先端部を押圧して、可動接点Ｓを、固定片となる他方のスイッチ構成体７４のスイッチ接点片７６に設けた固定接点Ｔに接触させてスイッチオンの状態になる。
【００９５】
この場合、図９及び図１０に示すように、左のレバー部材３０Ｌの反時計回り方向の回動によりワイヤーばね３１が押されるが、左のレバー部材３０Ｌのさらなる回動により、ワイヤーばね３１が押されて中立点を過ぎるとワイヤーばね３１が反転して、可動接点Ｓが固定接点Ｔに接触した時点でクリック感を生じさせる。
【００９６】
また、ＬＥＤモジュールのＬＥＤが発光して、光が導光板によって拡散されて全体に広がり、反射ケース５０により反射されて文字板５２を裏面側から照光する。したがって、文字板５２の文字が光によりキートップ５１の外側から視認される。
【００９７】
また、押釦部５のキートップ５１の押圧を解除すると、復帰ばね部材３２のばね力が右のレバー部材３０Ｌの左部位（連結軸部３５部分）を押し上げ、右のレバー部材３０Ｒはその支軸部４３を中心に反時計回り方向に回動する。
【００９８】
このために、左のレバー部材３０Ｌは、右のレバー部材３０Ｒに連動して、その支軸部４３を中心に時計回り方向に回動し、この左のレバー部材３０Ｌに設けられたスイッチ作動部４５が上昇する。
【００９９】
このために、スイッチ作動部４５によるリーフスイッチ７０への押圧が解除される。このために、接点操作体７２が、スイッチ接点片７６のスプリングバックにより、図１５に示すように、接点操作体回動中心Ｒを支点にして時計回り方向に回動し、接点押圧部９５による可動片（一方のスイッチ構成体７３のスイッチ接点片７６）の押圧を解除するようになる。このために、可動接点Ｓが固定接点Ｔから離れてスイッチオフの状態になる。
【０１００】
上記したように、耐衝撃手段のブロック６０Ａ、６０Ｂ、６１Ａ、６１Ｂ、６２Ａ、６２Ｂは、復帰ばね部材３２のばね力による操作プランジャ５３の浮き上がりにより浮き上がり、ブロック６０Ａ、６０Ｂ、６１Ａ、６１Ｂ、６２Ａ、６２Ｂの端面部はベース１の底面部１Ａから所定距離上昇している。
【０１０１】
エレベータスイッチとしての押釦スイッチは、１ｋｇの硬球を５０ｃｍまたは１ｍの上から１〜３回落下させたとしても壊れない強度が要求され、規格化されつつある。
【０１０２】
したがって、押釦スイッチの押釦部５に１キロの鋼球を５０センチの上から落とした場合、押釦部５が下降して、ブロック６０Ａ、６０Ｂ、６１Ａ、６１Ｂ、６２Ａ、６２Ｂの端面部がベース１の底面部１Ａに衝突することで、衝撃をベース１側に逃がして押釦スイッチの破損を防止することができる。このために、本発明の押釦スイッチは、上記の規格に適合するものになる。
【０１０３】
上記した本発明の実施の形態によれば、スイッチ駆動部３は、押釦部５が押されたときに、この押釦部５に連動して揺動支点Ｑを中心にして揺動し且つ互いに対向配置された一対のレバー部材３０Ｌ、３０Ｒを有し、且つ両レバー部材３０Ｌ、３０Ｒが、その互いに対向する端部で折曲可能に連ねて構成されるレバーリンクＦを備えており、レバーリンクＦが押釦部５の押込みにより揺動した際に、レバーリンクＦがリーフスイッチ７０を開閉作動するようにしてある。
【０１０４】
すなわち、両レバー部材３０Ｌ、３０Ｒの揺動支点Ｑを支軸部４３で構成し、ベース１に、一対の一方のレバー支点掛け部２２Ａと一対の他方のレバー支点掛け部２２Ｂと、これらの一方及び他方のレバー支点掛け部２２Ａ、２２Ｂ間に位置する一対のヒンジ支点ガイド部２３と、復帰ばね部材設置部９とを設け、一方のレバー部材３０Ｌの支軸部４３を一方のレバー支点掛け部２２Ａに揺動可能に引っ掛けると共に、他方のレバー部材３０Ｒの支軸部４３を他方のレバー支点掛け部２２Ｂに揺動可能に引っ掛け、ヒンジピン４０をヒンジ支点ガイド部２３で押釦部５の押し込み方向に往復動可能に案内して、両レバー部材３０Ｌ、３０Ｒをベース１に設置し、復帰ばね部材設置部９に押釦部５の押込み作動により揺動したレバー部材３０Ｒを復帰させる復帰ばね部材３２を設けると共に、ベース１にリーフスイッチ７０を設け、レバーリンクＦが押釦部５の押込みにより揺動した際に、レバー部材３０Ｒで復帰ばね部材３２を圧縮すると共に、スイッチ作動部４５でリーフスイッチ７０を開閉作動するようにしたことにより、押釦部５を押すことにより、レバーリンクＦにより押釦部５を、その押込方向に平行移動させ、レバーリンクＦが押釦部５の押込みにより作動した際に、このレバーリンクＦを構成するレバー部材３０Ｌ、３０Ｒを揺動支点Ｑを中心にして揺動させてリーフスイッチ７０を作動することができる。
【０１０５】
特に、レバーリンクＦが、揺動支点Ｑを中心にして揺動する一対のレバー部材３０Ｌ、３０Ｒを有し且つ両レバー部材３０Ｌ、３０Ｒが、その互いに対向する端部で折曲可能に連ねて構成されているために、従来一般に使用されている２本のリンクレバーをそれぞれの中間部で互いに揺動可能に連結したＸ型のレバーリンクを使用する必要がなく、押釦部５の押し込み方向に対する平行動作を維持しつつ、押釦スイッチの幅寸法を小さく、且つ押釦スイッチの厚さを薄くすることが可能になる。
【０１０６】
また、本発明の実施の形態によれば、レバーリンクＦにスイッチ作動部４５を設けたことにより、押釦部５を押すことにより、レバーリンクＦにより押釦部５を、その押込方向に平行移動させ、レバーリンクＦが押釦部５の押込みにより作動した際に、このレバーリンクＦを構成するレバー部材３０Ｌ、３０Ｒを揺動支点Ｑを中心にして揺動させてスイッチ作動部４５を介してリーフスイッチ７０を作動することができ、レバーリンクＦとは別体のスイッチ作動部材を設ける必要がなく、その分、押釦スイッチの厚さを薄くすることが可能になる。
【０１０７】
また、本発明の実施の形態によれば、両レバー部材３０Ｌ、３０Ｒが、互いに平行するレバー部３４Ａ、３４Ｂのそれぞれの一端部を連結軸部３５で連結し、レバー部３４Ａ、３４Ｂのそれぞれの他端部を接合部３６、４１にし、レバー部３４Ａ、３４Ｂの中間部に揺動支点Ｑを設けると共に、連結軸部３５にスイッチ作動部４５を設けて構成した同一構成であって、一方のレバー部材３０Ｌに対して他方のレバー部材３０Ｒを水平方向に１８０度回転させることで、一方のレバー部材３０Ｌと他方のレバー部材３０Ｒとを対向させ、一方のレバー部材３０Ｌと他方のレバー部材３０Ｒとを接合部３６、４１で互いに接合することで折曲げ可能にしてレバーリンクＦを構成するようにしてあるために、レバーリンクＦを簡素な構成で、しかも、丈の低い構成にすることができて、押釦スイッチの厚さを薄くすることに寄与することができるばかりか、両レバー部材３０Ｌ、３０Ｒを同一構成にしてあるために、押釦スイッチの物品点数を減少させてコストを下げることができる。
【０１０８】
また、本発明の実施の形態によれば、接合部３６、４１は、一方のレバー部３４Ａの端部にピン支承部３９を形成し、他方のレバー部３４Ｂの端部にヒンジピン４０を設けて構成してあり、ヒンジピン４０をピン支承部３９に係脱可能に且つ回転可能に係合することで、一方のレバー部材３０Ｌと他方のレバー部材３０Ｒとを互いに接合するようにしたことにより、レバーリンクＦの組立性を向上させることができる。
【０１０９】
また、本発明の実施の形態によれば、押釦部５はレバー連結部４５を有しており、レバー連結部４５を連結軸部３５に回転可能に連結してレバーリンクＦを押釦部５に連動させるようにしたことにより、押釦部５を偏った押し方で押しても、押釦部５を押し方に関係なく移動させることができて、リーフスイッチ７０を確実に作動させることができる。
【０１１０】
また、本発明の実施の形態によれば、一方のレバー部材３０Ｌのレバー部３４Ａの接合部３６、４１とは反対側に端部にばね係止部４２を設け、ベース１に反転部材保持部６を設け、反転部材保持部６に金属線材からなるワイヤーばね３１の保持部３１Ａを保持させて、このワイヤーばね３１の両端の係止部３１Ｃをばね係止部４２に係止し、レバーリンクＦが押釦部５の押込みにより揺動した際に、ワイヤーばね３１の反転でクリック感を発生させるようにしたことにより、ワイヤーばね３１の反転で可動接点Ｓが固定接点Ｔに接触する際のクリック感を発生させることができる。
【０１１１】
また、本発明の実施の形態によれば、押釦部５は、キートップ５１を備えた操作プランジャ５３を有しており、この操作プランジャ５３にレバー連結部４５を設けて、操作プランジャ５３をレバーリンクＦに連結すると共に、操作プランジャ５３に押釦部５に衝撃が加わった際に、衝撃をベース１側に逃がす耐衝撃手段を設け、耐撃手段は、操作プランジャ５３のベース１に対向する対向面に複数個のブロック６０Ａ、６０Ｂ、６１Ａ、６１Ｂ、６２Ａ、６２Ｂを設けて構成してあることにより、エレベータスイッチとしての押釦スイッチは、１キロの鋼球を５０センチの上から３回落としても壊れない強度が要求され、規格化されつつある。したがって、押釦部５に衝撃が加わった際に、複数個のブロック６０Ａ、６０Ｂ、６１Ａ、６１Ｂ、６２Ａ、６２Ｂをベース１の底面部１Ａに衝突させて、衝撃をベース１側に逃がして押釦スイッチの破損を防止することができるために、本発明の押釦スイッチは、上記の規格に適合するものになる。
【０１１２】
また、本発明の実施の形態によれば、内蔵スイッチは、レバーリンクＦが押釦部５の押込みにより揺動した際に、スイッチ作動部４５により作動する接点操作体７２と、この接点操作体７２の作動により可動片を撓ませて、この可動片が有する可動接点Ｓを固定片の固定接点Ｔに接触させるスイッチ部７１とよりなるリーフスイッチ７０で構成してある。
【０１１３】
すなわち、スイッチ部７１が、スイッチ接点片７６からなる可動片とスイッチ接点片７６からなる固定片を互いに対向させて保持するモールド７５を有していて、このモールド７５に断面円形状のスイッチ側ジョイント部８７を形成すると共に、モールド７５に、スイッチ側ジョイント部８７の中心である接点操作体揺動中心Ｒに一致する支軸８６を設けて構成してあり、接点操作体７２はキャップ形状であって、この接点操作体７２は、その開口部９１側に設けた断面円形状の接点操作体側ジョイント部８８と、その両側部に設けられ且つ接点操作体側ジョイント部８８の中心に一致する支承孔９３を有する一対の支持腕部９２とを有しており、接点操作体７２を、その内部に可動片及び固定片を挿入して接点操作体側ジョイント部８８をスイッチ側ジョイント部８７に回転可能に嵌合すると共に、支承孔９３に支軸８６を回転可能に支承することでスイッチ部７１に接点操作体７２が装着してリーフスイッチ７０を構成したことにより、レバーリンクＦが押釦部５の押込みにより揺動した際に、スイッチ作動部４５により接点操作体７２を、その接点操作体側ジョイント部８８を接点操作体揺動中心Ｒ及び支軸８６を支点にして回動させることで、接点操作体７２で可動片を押圧して、可動接点Ｓを固定接点Ｔに接触させてリーフスイッチ７０を作動させることができる。
【０１１４】
また、本発明の実施の形態によれば、接点操作体７２の内面側に接点押圧部９５が突設してあり、可動接点Ｓと固定接点Ｔとが離間した中立状態で接点押圧部９５が可動片を押圧して、可動片を固定片側に所定量押し込んで、可動片にプリロードを与えることにより、レバーリンクＦが押釦部５の押込みにより揺動した際に、スイッチ作動部４５により接点操作体７２を、その接点操作体回動中心Ｒを支点にして回動させることで、接点押圧部９５で可動片を押圧して、可動接点Ｓを固定接点Ｔに接触させてスイッチオンの状態にし、押し込み解除により、接点操作体７２が、可動片のスプリングバックにより接点操作体回動中心Ｒを支点にして逆方向に回動し、可動接点Ｓが固定接点Ｔから離れてスイッチオフの状態になる。このように、可動片の付勢力が、それ自体及び接点操作体７２の復帰用に用いられるために、リターンスプリングが不要になって、部品点数を少なくなる。
【０１１５】
また、本発明の実施の形態によれば、スイッチ部７１は、絶縁材のモールド７５に、接点８４を有するスイッチ接点片７６をインサートしたインサート成形により形成された同一構成の一方及び他方のスイッチ構造体７３、７４で構成してあって、モールド７５は、その外面が断面半円形状の接点操作体嵌合部７９を有すると共に、その内面が合わせ面部７３Ａにしてあり、モールド７５の両側面部には断面半円形状の軸部８２がそれぞれ突設してあり、一方及び他方のスイッチ構成体７３、７４をそれぞれの合わせ面部４３Ａで合わせ、接点操作体嵌合部７９でスイッチ側ジョイント部８７を形成し、軸部８２で支軸８６を形成し、スイッチ接点片７６の一方を可動片に、他方を固定片にしたことにより、リーフスイッチ７０の物品点数を減少させてコストを下げることができる。
【産業上の利用可能性】
【０１１６】
本発明に係る押釦スイッチは、押釦部を押すことにより、レバーリンクにより押釦部を、その押込方向に平行移動させ、レバーリンクが押釦部の押込みにより作動した際に、このレバーリンクを構成するレバー部材を揺動支点を中心にして揺動させてスイッチ部を作動することができる。特に、レバーリンクが、揺動支点を中心にして揺動する一対のレバー部材を有し且つ両レバー部材が、その互いに対向する端部で折曲可能に連ねて構成されているために、従来一般に使用されている２本のリンクレバーをそれぞれの中間部で互いに揺動可能に連結したＸ型のレバーリンクを使用する必要がなく、押釦部の押し込み方向に対する平行動作を維持しつつ、押釦スイッチの幅寸法を小さく、且つ押釦スイッチの厚さを薄くすることが可能になるという効果を有しており、エレベータスイッチ等に用いられる押釦スイッチ等に有用である。
【図面の簡単な説明】
【０１１７】
【図１】本発明に係る押釦スイッチの斜視図である。
【図２】同押釦スイッチの分解状態の斜視図である。
【図３】同押釦スイッチにおける押釦部の分解状態の斜視図である。
【図４】図１のＡ−Ａ線に沿う断面図である。
【図５】図１のＢ−Ｂ線に沿う断面図である。
【図６】図１の本発明に係る押釦スイッチの一部省略した平面図である。
【図７】図６のＣ−Ｃ線に沿う断面図である。
【図８】本発明に係る押釦スイッチの作動説明図である。
【図９】ワイヤーばねの反転前の状態の説明図である。
【図１０】ワイヤーばねの反転後の状態の説明図である。
【図１１】リーフスイッチの接点操作体側から見た斜視図である。
【図１２】同リーフスイッチのスイッチ部側から見た斜視図である。
【図１３】同リーフスイッチの分解状態の斜視図である。
【図１４】同リーフスイッチのスイッチ部の分解状態の斜視図である。
【図１５】図１１のＤ−Ｄ線に沿う縦断面図である。
【図１６】従来の押釦スイッチの斜視図である。
【図１７】同押釦スイッチの縦断面図である。
【図１８】同押釦スイッチの分解状態の斜視図である。
【図１９】同押釦スイッチにおけるレバーリンクの斜視図である。
【図２０】同押釦スイッチにおけるプランジャレバーの斜視図である。
【図２１】同押釦スイッチにおいて押釦部を除いた状態の斜視図である。
【符号の説明】
【０１１８】
１      ベース
２      内蔵スイッチ組立体
３      スイッチ駆動部
４      照光部
５      押釦部
６      反転部材保持部
７      スイッチ設置部
８      プリント基板組立体設置部
９      復帰ばね部材設置部
１０    レバー部材設置部
１１    押釦ガイド部
２２Ａ  レバー支点掛け部
２２Ｂ  レバー支点掛け部
２３    ヒンジ支点ガイド部
２４    支点支承体
３０Ｌ  一方のレバー部材
３０Ｒ  他方のレバー部材
３１    ワイヤーばね（反転部材）
３１Ａ  保持部
３１Ｃ  係止部
３４Ａ、３４Ｂ  レバー部
３５    連結軸部
３６    接合部
３９    ピン支承部
４０    ヒンジピン
４１    接合部
４２    ばね係止部
４３    支軸部
４４    当接部
４５    スイッチ作動部
４６    ばね受け部
４７    プランジャ連結部
５１    キートップ
５３    操作プランジャ
５５    レバー連結部
６４    レバー押圧部
６０Ａ、６０Ｂ、６１Ａ、６１Ｂ、６２Ａ、６２Ｂ    ブロック（耐衝撃手段）
７０    リーフスイッチ（内蔵スイッチ）
７１    スイッチ部
７２    接点操作体
７３    一方のスイッチ構成体
７３Ａ  合わせ面部
７４    他方のスイッチ構成体
７５    モールド（絶縁保持体）
７６    スイッチ接点片
７７    接点操作体嵌合部
８２    軸部
８４    接点
８６    支軸
８７    スイッチ側ジョイント部
８８    接点操作体側ジョイント部
９２    支持腕部
９３    支承孔
９４    接触部
９５    接点押圧部
９９    プリント基板組立体
Ｒ    接点操作体回動中心
Ｓ    可動接点
Ｔ    可動接点
Ｑ    揺動支点
【図１】
2005353478.tif 000003
【図２】
2005353478.tif 000004
【図３】
2005353478.tif 000005
【図４】
2005353478.tif 000006
【図５】
2005353478.tif 000007
【図６】
2005353478.tif 000008
【図７】
2005353478.tif 000009
【図８】
2005353478.tif 000010
【図９】
2005353478.tif 000011
【図１０】
2005353478.tif 000012
【図１１】
2005353478.tif 000013
【図１２】
2005353478.tif 000014
【図１３】
2005353478.tif 000015
【図１４】
2005353478.tif 000016
【図１５】
2005353478.tif 000017
【図１６】
2005353478.tif 000018
【図１７】
2005353478.tif 000019
【図１８】
2005353478.tif 000020
【図１９】
2005353478.tif 000021
【図２０】
2005353478.tif 000022
【図２１】
2005353478.tif 000023